(57)【特許請求の範囲】
【請求項１】
複数のセルを使用して移動局と無線通信を行う基地局において、
前記複数のセルのうちの１つ以上のセルに対する前記移動局の送信タイミングの調整に使用される第１の情報と、前記１つ以上のセルの指定に利用される第２の情報を格納可能な領域と、を含む第１の制御信号と、前記第１の制御信号における前記領域が前記第２の情報を格納しているか否かに関連する情報を含む第２の制御信号と、を送信する送信部と、
前記第１の制御信号と前記第２の制御信号との送信を制御する制御部と、
を備える基地局。
【請求項２】
複数のセルを使用して無線通信を行う移動局において、
基地局から送信される第１の制御信号であって、前記複数のセルのうちの１つ以上のセルに対する前記移動局の送信タイミングの調整に使用される第１の情報と、前記１つ以上のセルの指定に利用される第２の情報を格納可能な領域と、を含む第１の制御信号と、前記基地局から送信される第２の制御信号と、を受信する受信部と、
前記第１の制御信号における前記領域が前記第２の情報を格納しているか否かに関連する情報が、前記第２の制御信号に含まれる場合、前記第２の情報により指定される前記１つ以上のセルに対する前記移動局の送信タイミングを前記第１の情報により調整する制御部と、
を備える移動局。
【請求項３】
請求項２に記載の移動局において、
前記第１の制御信号は、前記移動局に無線パラメータを設定させるための制御信号である移動局。
【請求項４】
複数のセルを使用して無線通信を行う無線通信システムにおいて、
前記複数のセルのうちの１つ以上のセルに対する移動局の送信タイミングの調整に使用される第１の情報と、前記１つ以上のセルの指定に利用される第２の情報を格納可能な領域と、を含む第１の制御信号と、前記第１の制御信号における前記領域が前記第２の情報を格納しているか否かに関連する情報を含む第２の制御信号と、を送信する基地局と、
前記第１の制御信号及び前記第２の制御信号を受信し、前記第１の制御信号における前記領域が前記第２の情報を格納しているか否かに関連する情報が、前記第２の制御信号に含まれる場合、前記第２の情報により指定される前記１つ以上のセルに対する前記移動局の送信タイミングを前記第１の情報により調整する前記移動局と、
を備える無線通信システム。
【請求項５】
無線通信方法であって、
複数のセルを使用して移動局と無線通信を行う基地局から、前記複数のセルのうちの１つ以上のセルに対する前記移動局の送信タイミングの調整に使用される第１の情報と、前記１つ以上のセルの指定に利用される第２の情報を格納可能な領域と、を含む第１の制御信号と、前記第１の制御信号における前記領域が前記第２の情報を格納しているか否かに関連する情報を含む第２の制御信号と、を送信し、
前記基地局で、前記第１の制御信号と前記第２の制御信号との送信を制御する、無線通信方法。
【発明の詳細な説明】
【技術分野】
【０００１】
開示の技術は、複数の周波数キャリアを使用して無線通信を行う無線通信システム、移動局及び基地局に関する。
【背景技術】
【０００２】
無線通信システムに於いて、移動局は、基地局から通知されるＴＡ（Timing Advance）に基づき、基地局への送信タイミングを決定している。このため、移動局の送信タイミングにずれが生じると、基地局は、移動局から基地局への無線信号の同期を確保するために、新たなＴＡを移動局に通知して、移動局の送信タイミングを補正することとなる。【０００３】
具体的には、基地局は、移動局からの無線信号の受信タイミングし、送信タイミングのずれを検出すると、ＴＡの補正値を算出して、これをＴＡＣ（TA Command）に含めて、移動局に通知する。移動局は、ＴＡＣを受信すると、該ＴＡＣに含まれるＴＡの補正値に基づき、使用中のＴＡを補正して、新たなＴＡとして使用する。これにより、移動局の送信タイミングが補正されるのである。【０００４】
ところで、ＬＴＥ−Ａ（Long Term Evolution Advanced）では、キャリアアグリゲーションという技術が採用される。以下、ＬＴＥ−Ａのリリース１１（以下、Ｒ１１とする）のキャリアアグリゲーションを簡単に説明する。【０００５】
ＬＴＥ−Ａのリリース１０（以下、Ｒ１０とする）のキャリアアグリゲーションでは、同一の送信タイミングを有するセルのみを集約していたが、Ｒ１１のキャリアアグリゲーションでは、異なる送信タイミングを有するセル群が集約され、それぞれのセル群には送信タイミング別にＴＡＧ（Timing Advance Group）が設定されることとなる。【０００６】
例えば、第１の送信タイミングを有するセル群であって、ＰＣｅｌｌ（Primary Cell）を含むセル群には、ｐＴＡＧ（Primary Timing Advance Group）が設定され、第２の送信タイミングを有するセル群であって、ＳＣｅｌｌ（Secondly Cell）だけを含むセル群には、ｓＴＡＧ（Secondly Timing Advance Group）が設定される。【０００７】
このため、Ｒ１１の基地局は、それぞれのＴＡＧに属するセルから受信する無線信号のずれを検出すると、ＴＡＧごとにＴＡの補正値を算出して、該ＴＡをＴＡＣに含ませて、移動局に通知する。その際、どのＴＡＧに属するセルにＴＡを適用するのかを明示するために、ＴＡＣにＴＡＧの識別子を含ませる。移動局は、ＴＡＣに含まれる識別子を基にＴＡＧ（セル群）を特定して、該ＴＡＧに属するセル群にＴＡを適用する。
【先行技術文献】
【非特許文献】
【０００８】
【非特許文献１】3GPP  TS36.912，  “Further Advancements for E-UTRA (LTE-Advanced)”，  V10.0.0，  Release  10，  March  2011．
【非特許文献２】3GPP  TS36.321，  “Medium Access Control (MAC) Protocol Specification”，  V10.4.0，  Release  10，  December  2011．
【非特許文献３】3GPP  TS36.331，  “Radio Resource Control (RRC) Protocol Specification”，  V10.4.0，  Release  10，  December  2011．
【発明の概要】
【発明が解決しようとする課題】
【０００９】
このように、Ｒ１１のキャリアアグリゲーションでは、複数のセル群を、送信タイミング別にＴＡＧ分類できるようになる。このため、ＬＴＥ−ＡのＲ１１では、これまでには無い問題点が生じる。【００１０】
開示の技術は、ＬＴＥ−ＡのＲ１１に於いて、ＴＡＧの設定に付随する問題を解決できる無線通信システム、移動局及び基地局を提供する。
【課題を解決するための手段】
【００１１】
開示の技術の一観点によれば、複数のセルを使用して移動局と無線通信を行う基地局において、前記複数のセルのうちの１つ以上のセルに対する前記移動局の送信タイミングの調整に使用される第１の情報と、前記１つ以上のセルの指定に利用される第２の情報を格納可能な領域と、を含む第１の制御信号と、前記第１の制御信号における前記領域が前記第２の情報を格納しているか否かに関連する情報を含む第２の制御信号と、を送信する送信部と、前記第１の制御信号と前記第２の制御信号との送信を制御する制御部と、を備える基地局、が提供される。

【発明の効果】
【００１２】
開示の技術によれば、ＬＴＥ−ＡのＲ１１に於いて、ＴＡＧの設定に付随する問題を解決することができる。
【図面の簡単な説明】
【００１３】
【図１】図１は、Ｒ１１のキャリアアグリゲーションを模式的に示す図である。
【図２】図２は、移動局及び基地局の接続シーケンスを説明する図である。
【図３】図３は、ＴＡＣのフォーマット例である。
【図４】図４は、無線通信システムにおけるＲ１１の移動局の機能ブロックを示す図である。
【図５】図５は、本実施例にかかるＲ１１の呼再設定情報のコードの一例である（その１）。
【図６】図６は、本実施例にかかるＲ１１の呼設定情報のコードの一例である（その２）。
【図７】図７は、移動局の動作を示すフローチャートである。
【図８】図８は、無線通信システムにおけるＲ１１の基地局の機能ブロックを示す図である。
【図９】図９は、基地局の動作を示すフローチャートである。
【図１０】図１０は、ＭＡＣ＿ＣＥフォーマット例である。
【図１１】図１１は、ＭＡＣ＿ＰＤＵのフォーマット例である。
【図１２】図１２は、Ｒ１１の移動局及びＲ１１の基地局の接続シーケンスを説明する図である。
【図１３】図１３は、移動局の動作を示すフローチャートである。
【図１４】図１４は、Ｒ１１の基地局からＲ１０の基地局へのハンドオーバのシーケンスを説明する図である。
【図１５】図１５は、移動局１０の動作を示すフローチャートである。
【図１６】図１６は、無線通信システムにおけるＲ１０の基地局の機能ブロックを示す図である。
【図１７】図１７は、Ｒ１０の基地局の動作を示すフローチャートである。
【図１８】図１８は、本実施例の前提となる無線通信方法および無線通信システムを模式的に示す図である。
【図１９】図１９は、本実施例にかかるＴＡの適用を禁止するケースを説明する図である。
【図２０】図２０は、移動局の動作を示すフローチャートである。
【図２１】図２１は、基地局の動作を示すフローチャートである。
【図２２】図２２は、本実施例の前提となる無線通信方法および無線通信システムを模式的に示す図である。
【図２３】図２３は、実施例２の無線通信方法の一例を示す図である。
【図２４】図２４は、移動局の動作を示すフローチャートである。
【図２５】図２５は、基地局の動作を示すフローチャートである。
【図２６】図２６は、移動局及び基地局間で同期状態に不一致が生じていることを説明する図である。
【図２７】図２７は、移動局及び基地局間で同期状態に不一致が生じていることを説明する別の図である。
【図２８】図２８は、移動局の動作を示すフローチャートである。
【図２９】図２９は、ＴＡＣの別のフォーマット例である。
【図３０】図３０は、移動局のハードウェア構成図である。
【図３１】図３１は、基地局のハードウェア構成図である。
【発明を実施するための形態】
【００１４】
以下、本願の開示する移動局、基地局、無線通信システム及び無線通信方法の実施例を図面に基づいて説明する。
【００１５】
ここで、本願の各実施例を説明する前に、その前提となる無線通信システム及び無線通信方法を説明する。なお、特に断らない限り、「セル」と「キャリア」を同義語として記載する。
【００１６】
次世代移動通信システムであるＬＴＥでは、無線アクセス技術として、ＯＦＤＭ（Orthogonal  Frequency  Division  Multiplexing）をベースとした方式が規定されている。ＬＴＥでは、下りのピーク伝送レートが１００Ｍｂ／ｓ以上、上りのピーク伝送レートが５０Ｍｂ／ｓ以上、の高速無線パケット通信が可能となる。
【００１７】
国際標準化団体である３ＧＰＰ（3rd  Generation  Partnership  Project）では、現在、さらなる高速通信の実現に向けて、ＬＴＥをベースとした移動通信システムＬＴＥ−Ａ（LTE−Advanced）の検討が始まっている。
【００１８】
ＬＴＥ−Ａでは、下りのピーク伝送レートは１Ｇｂ／ｓ、上りのピーク伝送レートは５００Ｍｂ／ｓを目指しており、無線アクセス方式やネットワークアーキテクチャなど、様々な新技術が検討されている。現在、ＬＴＥ−Ａの初版のリリースであるＲ１０の仕様策定がほぼ終了し、Ｒ１１の仕様策定が進められている。
【００１９】
ＬＴＥ−Ａでは、高速通信を実現するための方法として、ＬＴＥシステムで使用される複数の無線キャリア（ＬＴＥキャリア）の帯域を集約して、より大容量のデータを伝送する無線通信方法が検討されている。これは、キャリアアグリゲーション（周波数集約）と呼ばれている。集約されるＬＴＥキャリアは、コンポーネントキャリア（Component  Carrier）とも呼ばれる。
【００２０】
以下、Ｒ１１のキャリアアグリゲーションをさらに詳しく説明する。
【００２１】
図１は、Ｒ１１のキャリアアグリゲーションを模式的に示す図である。
【００２２】
図１において、ＰＣｅｌｌ、ＳＣｅｌｌ＃１〜ＳＣｅｌｌ＃４は、それぞれコンポーネントキャリアである。このうち、ＰＣｅｌｌは、上り制御データの送信など、各種の重要な制御を実行するために使用されるキャリアである。ＳＣｅｌｌ＃１〜ＳＣｅｌｌ＃４は、スループット向上のための追加的なキャリアである。ＬＴＥ−Ａでは、このような複数のコンポーネントキャリアを使用して、例えば移動局（ＵＥ）及び基地局（ｅＮＢ）間のデータ送受信が実施される。
【００２３】
さらに、ＬＴＥ−ＡのＲ１１では、複数の異なる上り送信タイミングを有するセル（キャリア）を集約することが可能となる。
【００２４】
例えば、図１では、第１の送信タイミングＴＡ１（Timing Advance 1）を有するセル群（ＰＣｅｌｌ、ＳＣｅｌｌ＃１及びＳＣｅｌｌ＃２）と、第２の送信タイミングＴＡ２（Timing Advance 2）を有するセル群（ＳＣｅｌｌ＃３及びＳＣｅｌｌ＃４）と、が集約されている。ＰＣｅｌｌを含むセル群は、ｐＴＡＧ（Primary Timing Advance Group）と呼ばれ、ＳＣｅｌｌだけを含むセル群は、ｓＴＡＧ（Secondly Timing Advance Group）と呼ばれる。
【００２５】
なお、ｐＴＡＧ及びｓＴＡＧを識別するために、それぞれのＴＡＧには、固有の識別子、即ちＴＡＧ識別子が割り当てられる。本実施形態では、ｐＴＡＧのＴＡＧ識別子に「０」を割り当て、ｓＴＡＧのＴＡＧ識別子には、「０」以外の数字を割り当てる。以下の各実施例でも同様とする。
【００２６】
ここでは、説明の便宜上、２つの異なる送信タイミングを有するセルを集約しているが、３以上の異なる上り送信タイミングを有するセルを集約しても良い。
【００２７】
次に、移動局及び基地局間の通信を実施するための手順を説明する。
【００２８】
図２は、移動局及び基地局の接続シーケンスを説明する図である。
【００２９】
図２に示すように、移動局及び基地局間で通信を実施するためには、ＲＲＣ（Radio Resource Control）の状態をＲＲＣアイドルモードからＲＲＣコネクティッドモードに遷移させる必要がある。
【００３０】
まず、移動局から基地局への初期アクセスの場合、移動局は、ランダムアクセス信号（ランダムアクセスプリアンブル）を基地局に送信する。基地局は、移動局からのランダムアクセス信号を基に、送信タイミングを決定するためのＴＡを算出する。つづいて、基地局は、該ＴＡを、ランダムアクセスレスポンスとして移動局に通知する。このとき、移動局は、上り同期が取れていない状態でランダムアクセス信号を送信するため、基地局は、受信区間を長く設定している。そして、移動局が基地局からのランダムアクセスレスポンスを受信し、該ＴＡ値を上り送信タイミングとして適用すると、上り同期が確保される。以降、移動局は、基地局から通知されたＴＡのタイミングで上り送信を実施する。以上で、初期同期が終了する。この場合のＴＡは、過去の上り送信タイミングを参照しない絶対値となるため、１１ビットとなる。
【００３１】
次に、移動局は、該ＴＡを基に補正された上り送信タイミングにより呼設定（RRC Connection Establishment）手順を実施する。具体的には、移動局は、呼設定要求（RRC Connection Request）を基地局に送信する。そして、移動局は、基地局からの呼設定通知（RRC Connection Setup）を受信すると、基地局に呼設定完了通知（RRC Connection Setup Complete）を通知する。以上の手続きを経て、ＲＲＣの状態がＲＲＣアイドルモードからＲＲＣコネクティッドモードに遷移し、移動局及び基地局間で通信ができる状態となる。
【００３２】
さらに、基地局は、呼設定の完了後、移動局に呼再設定情報（RRC Connection Reconfiguration not including the Mobility Control Info）を送信し、移動局にとって適切な無線パラメータを設定する。
【００３３】
また、基地局は、無線パラメータの設定後、上り同期状態が確保されている移動局から受信する上り無線信号が、自身が有する受信区間内で受信しているか否かをモニタする。基地局は、受信タイミングのずれを検出すると、そのずれを補正するために、上り送信タイミングの補正値をＴＡとして算出する。さらに、基地局は、該ＴＡをＴＡＣに含めて、移動局に通知する。移動局は、ＴＡＣを受信すると、該ＴＡＣに含まれるＴＡを基に、現在使用しているＴＡを補正して、新規のＴＡとして使用する。したがって、前述の初期同期とは異なり、基地局は、現在のＴＡからの補正値である相対値を通知するだけで良いため、ＴＡは、初期同期時の１１ビットよりも小サイズの６ビットとなる。
【００３４】
次に、ＴＡＣのフォーマットを説明する。
【００３５】
図３（ａ）〜図３（ｄ）は、ＴＡＣのフォーマット例である。
【００３６】
ＴＡＣは、ＭＡＣ（Media Access Control）レイヤの制御信号であるＭＡＣ＿ＣＥ（MAC Control Element）で規定される。ＭＡＣ＿ＣＥによって、ＭＡＣレイヤの各種制御コマンドが送信でき、ＭＡＣヘッダに付随するＬＣＩＤ（Logical Channel Identifier）によって制御コマンドの種別が判別される。ＴＡＣは、ＬＣＩＤとして「１１１０１」が割り当てられている。
【００３７】
図３（ａ）は、ＴＡＧをサポートしていない基地局が送信するＴＡＣフォーマットである。なお、パケット伝送では、１バイト単位でデータが構成されているため、６ビットのＴＡを使用する場合、残りの２ビットに何らかのビットを任意に埋め込む必要がある。このような任意に埋め込まれるビットをリザーブビットとする。例えば、ＬＴＥの基地局や、ＬＴＥ−ＡのＲ１０の基地局は、このフォーマットでＴＡＣを送信する。図３（ａ）のフォーマットでは、先頭の２ビットをリザーブビットＲとし、後続の６ビットにＴＡが格納される。リザーブビットＲには、基地局により任意の値が設定される。
【００３８】
図３（ｂ）〜図３（ｄ）は、ＴＡＧをサポートしている基地局が送信するＴＡＣフォーマットの例である。ＬＴＥ−ＡのＲ１１の基地局は、これらの何れかのフォーマットでＴＡＣを送信する。
【００３９】
図３（ｂ）のフォーマットでは、先頭の１ビットでＴＡＧ識別子を規定し、続く１ビットをリザーブビットＲとし、さらに後続する６ビットにＴＡが格納される。
【００４０】
図３（ｃ）のフォーマットでは、先頭の１ビットをリザーブビットＲとし、続く１ビットでＴＡＧ識別子を規定し、さらに後続する６ビットにＴＡが格納される。
【００４１】
図３（ｄ）のフォーマットでは、先頭の２ビットでＴＡＧ識別子を規定し、後続の６ビットにＴＡが格納される。
【００４２】
即ち、ＬＴＥ−ＡのＲ１１の基地局は、図３（ｂ）〜図３（ｄ）のフォーマットの何れかのビットを利用してＴＡＧ識別子を規定する。なお、以下の各実施例では、図３（ｄ）のフォーマットのＴＡＣを用いて説明することとする。従って、ＴＡＣの先頭２ビットでＴＡＧ識別子を規定するものとする。
【００４３】
次に、本実施例の前提となる無線通信システム及び無線通信方法の問題点を説明する。
【００４４】
Ｒ１１の移動局は、ＴＡＧの設定情報を、初期パラメータとして有している。ところが、Ｒ１０の基地局は、ＴＡＧを設定する機能を有していない（図３（ａ））。このため、Ｒ１０の基地局は、移動局に送信するＴＡＣの先頭２ビット、即ちリザーブビットＲに何らかのビット系列を埋め込む。このため、Ｒ１１の移動局は、先頭２ビットのリザーブビットＲを有意なものと誤認してしまい、ＴＡＧごとに正しく上り送信タイミングを調整することができない、という問題がある。
【００４５】
例えば、Ｒ１１の移動局及びＲ１０の基地局間でシステムのリリース番号を共有すれば、移動局が、自身のリリース番号とは異なる基地局に接続していることを認識できる。このため、移動局は、ＴＡＣに設定されている先頭２ビットのＲを無視することで、前述の問題は解決される。
【００４６】
しかし、ＬＴＥ通信システムでは、移動局及び基地局間でシステムのリリース番号を共有することなく通信できるように設計されている。このため、移動局は、自身のリリース番号とは異なる基地局に接続しているかどうか判断することはできない。
【００４７】
そこで、実施例１、２では、例えばＲ１１の移動局がＲ１１以外の基地局に接続する場合でも、リリース番号を共有することなく、ＴＡＣを適切に処理することを実現する。
【００４８】
［実施例１］
次に、図４〜図１２を参照して実施例１を説明する。
【００４９】
本実施例では、移動局と基地局を含む無線通信システムの無線通信方法を説明するが、本発明は、これに限るものではない。例えば、中継局と基地局を含むシステムにも、本実施例の無線通信方法を適用することができる。この場合、中継局が移動局に相当する。また、移動局と中継局を含むシステムにも、本実施例の無線通信方法を適用することができる。この場合、中継局が基地局に相当する。
【００５０】
（移動局１０）
次に、本実施例にかかる移動局１０の機能ブロックを説明する。
【００５１】
図４は、無線通信システムにおけるＲ１１の移動局１０の機能ブロックを示す図である。
【００５２】
図４に示すように、本実施例にかかるＲ１１の移動局１０は、送受信部１１と、制御部１２と、記憶部１３と、アンテナ１４と、を備える。送受信部１１は、アンテナ１４を介して伝送される無線信号を送受信する。
【００５３】
制御部１２は、設定制御部１２１、グループ制御部１２２、上り送信制御部１２３、ＴＡＣ処理部１２４、を含む。記憶部１３は、例えば、基地局２０から送信されたＴＡＣのＴＡを記憶する。
【００５４】
設定制御部１２１は、呼設定の手順を実行する。さらに、設定制御部１２１は、基地局２０から送信された呼再設定情報に基づき、移動局１０の無線パラメータの設定を実行する。
【００５５】
グループ制御部１２２は、ＴＡＧの生成及びＴＡＧに属するセルによる無線通信を制御する。さらに、グループ制御部１２２は、基地局２０から送信される呼再設定情報にＴＡＧの設定情報が含まれているか判断する。呼再設定情報の詳細は後述する。
【００５６】
上り送信制御部１２３は、ＴＡＧごとに、該ＴＡＧに属するセルによる無線通信の上り送信タイミングを制御する。
【００５７】
ＴＡＣ処理部１２４は、基地局２０から受信するＴＡＣを処理する。例えば、ＴＡＣ処理部１２４は、受信したＴＡＣからＴＡ及びＴＡＧを取得する。そして、ＴＡＣ処理部１２４は、上り送信制御部１２３と連携して、ＴＡＣから取得したＴＡＧに属するＣｅｌｌによる無線通信に、ＴＡＣから取得したＴＡを適用する。
【００５８】
また、制御部１２の各機能は、ＣＰＵ、ＤＳＰなどのプロセッサで構成されうる。
【００５９】
次に、呼再設定情報に含まれるＴＡＧの設定情報を説明する。
【００６０】
図５は、本実施例にかかるＲ１１の呼再設定情報のコードの一例である（その１）。図６は、本実施例にかかるＲ１１の呼設定情報のコードの一例である（その２）。なお、図面サイズの制約上、図５にコードの前半、図６にコードの後半、をそれぞれ示している。
【００６１】
図５、図６に示すように、本実施例にかかるＲ１１の呼再設定情報には、移動局１０にＴＡＧを設定させるためのＴＡＧ設定情報が規定されている（下線箇所）。ＴＡＧ設定情報は、Ｃｅｌｌ−ＴＡＧ対応情報を含み、該対応情報を利用して、Ｃｅｌｌの識別番号をＴＡＧの識別番号に対応づける。例えば、Ｃｅｌｌの識別番号が「０１」であり、該Ｃｅｌｌを対応づけるＴＡＧの識別番号が「００」である場合、基地局２０は、「０１００」を対応情報として、移動局１０に送信することとなる。なお、本実施例にかかる呼再設定情報は、あくまでも一例を示すものであって、本発明は、これに限定されるものではない。ＴＡＧ設定情報（第２の情報）は、ＴＡＣのＴＡＧ識別子の指定に利用されるか否かに関連する情報である。ＴＡＧ識別子を指定すれば、結果として該ＴＡＧに属するセルを指定することとなるので、ＴＡＧ設定情報は、ＴＡを適用するセルを指定する情報でもある。
【００６２】
次に、本実施例にかかるＲ１１の移動局１０の動作を説明する。
【００６３】
図７は、移動局１０の動作を示すフローチャートである。
【００６４】
図７に示すように、設定制御部１２１は、ＲＲＣの状態をアイドルモードからコネクティドモードに遷移させるために、基地局２０との間で呼設定の手順を実施する（ステップＳ１０１）。このとき、移動局１０は、基地局２０から受信するＴＡ（１１ビット）を記憶部１３に記憶する。以降、移動局１０は、記憶部１３に記憶したＴＡを、上り送信タイミングを調整するために使用する。
【００６５】
次に、送受信部１１は、基地局２０から呼再設定情報を受信すると、該呼再設定情報を設定制御部１２１に通知する。設定制御部１２１は、呼再設定情報に基づき、各種無線パラメータの設定を実施する。さらに、設定制御部１２１は、呼再設定情報をグループ制御部１２２に通知する。
【００６６】
次に、グループ制御部１２２は、基地局２０から受信した呼再設定情報にＴＡＧ設定情報が含まれているかどうか判断する（ステップＳ１０２）。
【００６７】
ここで、ＴＡＧ設定情報が含まれていると判断されなければ（ステップＳ１０２のＮｏ）、移動局１０の接続先がＲ１０の基地局であると判断できるので、グループ制御部１２２は、自身の設定パラメータについて、集約可能なセル群のＴＡＧ識別子を全て「０」に設定する（ステップＳ１０３）。例えば、全てのセルが集約可能である場合、全てのセルのＴＡＧ識別子を「０」に設定する。このため、本実施形態のように、ｐＴＡＧにＴＡＧ識別子「０」を割り当てる場合、集約可能な全セル群がｐＴＡＧに属することとなる。
【００６８】
次に、送受信部１１は、基地局２０からＴＡＣを受信したら（ステップＳ１０４）、該ＴＡＣを制御部１２のＴＡＣ処理部１２４に通知する。そして、ＴＡＣ処理部１２４は、該ＴＡＣの先頭２ビットをグループ制御部１２２に通知する。グループ制御部１２２は、ＴＡＣの先頭２ビットを解析して、先頭２ビットが（０、０）であるかどうか判断する（ステップＳ１０５）。
【００６９】
ここで、ＴＡＣの先頭２ビットが（０、０）であると判断されなければ（ステップＳ１０５のＮｏ）、グループ制御部１２２は、先頭２ビットを（０、０）であると解釈して、即ちＴＡＧ識別子を「０」と解釈して（ステップＳ１０６）、ＴＡＣのＴＡを、ＴＡＧ識別子が「０」であるＴＡＧに属する全セルに適用するよう、ＴＡＣ処理部１２４に通知する。本実施例では、前述のように、全てのセルにＴＡＧ識別子「０」を割り当てているので、グループ制御部１２２は、集約可能なセル群の全てにＴＡを適用するよう、ＴＡＣ処理部１２４に通知する。そして、ＴＡＣ処理部１２４は、グループ制御部１２２からの通知に基づき、上り送信制御部１２３と連携して、集約可能なセル群の全てにＴＡを適用する（ステップＳ１０７）。
【００７０】
一方、ＴＡＣの先頭２ビットが（０、０）であると判断されたら（ステップＳ１０５のＹｅｓ）、グループ制御部１２２は、ＴＡＣの先頭２ビットにより指定されるＴＡＧに属する全セルにＴＡＣのＴＡを適用するよう、ＴＡＣ処理部１２４に通知する。ここでは、先頭２ビットが（０、０）であるので、グループ制御部１２２は、ＴＡＧ識別子「０」であるＴＡＧに属する全セル、即ち集約可能なセル群の全てにＴＡを適用するよう、ＴＡＣ処理部１２４に通知する。そして、ＴＡＣ処理部１２４は、グループ制御部１２２からの通知に基づき、上り送信制御部１２３と連携して、集約可能なセル群の全てにＴＡを適用する（ステップＳ１０７）。
【００７１】
即ち、本実施例では、基地局２０から受信した呼再設定情報にＴＡＧ設定情報が含まれていない場合、移動局１０の接続先がＲ１０の基地局であると判断して、集約可能な全セルにＴＡを適用する。
【００７２】
次に、ＴＡＣ処理部１２４は、記憶部１３に記憶されているＴＡを補正するよう、上り送信制御部１２３に通知し、新たなＴＡとして記憶部１３に記憶させる。
【００７３】
一方、基地局２０からの呼再設定情報にＴＡＧ設定情報が含まれていると判断されたら（ステップＳ１０２のＹｅｓ）、即ち移動局１０の接続先がＲ１１の基地局であれば、送受信部１１は、ＴＡＣの受信後（ステップＳ１０８）、ＴＡＣ処理部１２４に通知する。そして、ＴＡＣ処理部１２４は、該ＴＡＣの先頭２ビットをグループ制御部１２２に通知する。グループ制御部１２２は、ＴＡＣの先頭２ビットを解析して、該２ビットにより指定されるＴＡＧに属するセル群にＴＡを設定するよう、ＴＡＣ処理部１２４に通知する。そして、ＴＡＣ処理部１２４は、グループ制御部１２２からの通知に基づき、上り送信制御部１２３と連携して、ＴＡＣの先頭２ビットにより指定されるＴＡＧに属するセル群にＴＡを適用する（ステップＳ１０９）。
【００７４】
即ち、本実施例では、基地局２０から受信した呼再設定情報にＴＡＧ設定情報が含まれている場合のみ、移動局１０の接続先がＲ１１の基地局であると判断して、ＴＡＣの先頭２ビットにより指定されるＴＡＧに属するセル群にＴＡを適用する。
【００７５】
次に、ＴＡＣ処理部１２４は、上り送信制御部１２３に記憶されているＴＡを補正するよう、上り送信制御部１２３に通知し、新たなＴＡとして記憶部１３に記憶させる。
【００７６】
以上の方法により、移動局１０は、基地局２０のリリース番号に関わらず、全セルに適切なＴＡを適用することができる。
【００７７】
（基地局２０）
次に、本実施例にかかる基地局２０の機能ブロックを説明する。
【００７８】
図８は、無線通信システムにおけるＲ１１の基地局２０の機能ブロックを示す図である。
【００７９】
図８に示すように、本実施例にかかるＲ１１の基地局２０は、送受信部２１と、制御部２２と、記憶部２３と、アンテナ２４と、を備える。送受信部２１は、アンテナ２４を介して伝送される無線信号を送受信する。
【００８０】
制御部２２は、設定制御部２２１、グループ制御部２２２、上り送信制御部２２３、ＴＡＣ生成部２２４、を含む。記憶部２３は、ＴＡＣに含まれるＴＡや、移動局１０に送信する呼再設定情報を記憶する。
【００８１】
設定制御部２２１は、呼設定の手順を実行する。さらに、設定制御部２２１は、移動局１０に無線パラメータの設定を実行させるために、呼再設定情報の送信を指示する。なお、呼再設定情報には、ＴＡＧ設定情報が含まれている。
【００８２】
グループ制御部２２２は、ＴＡＧの生成及びＴＡＧに属するセルによる無線通信を制御する。
【００８３】
上り送信制御部２２３は、ＴＡＧごとに、ＴＡＧに属するセルによる無線通信の上り送信タイミングを制御する。例えば、上り送信制御部２２３は、各ＴＡＧに属するセルから受信する無線信号を基にＴＡを算出する。
【００８４】
ＴＡＣ生成部２２４は、上り送信制御部２２２により算出されたＴＡと、グループ制御部２２２により生成されたＴＡＧと、を含むＴＡＣを生成する。
【００８５】
次に、本実施形態にかかるＲ１１の基地局２０の動作を説明する。
【００８６】
図９は、基地局２０の動作を示すフローチャートである。
【００８７】
図９に示すように、設定制御部２２１は、ＲＲＣの状態をアイドルモードからコネクティッドモードに遷移させるために、移動局１０との間で呼設定の手順を実施する（ステップＳ２０１）。このとき、基地局２０は、移動局１０に送信するＴＡ（１１ビット）を自身の記憶部２３に記憶する。以降、基地局２０は、記憶部２３に記憶したＴＡを、移動局１０の上り送信タイミングを調整するために使用する。
【００８８】
次に、通信部２１は、設定制御部２２１からの指示に基づき、移動局１０に呼再設定情報を送信して、移動局１０に各種の無線パラメータの設定を実施させる（ステップＳ２０２）。ここで送信される呼再設定情報には、ＴＡＧ設定情報が含まれている。このため、移動局１０は、呼再設定情報に含まれるＴＡＧ設定情報に基づき、ＴＡＧの設定を実行することとなる。
【００８９】
次に、設定制御部２２１は、ＴＡの補正が必要であると判断した場合、上り送信制御部２２３に、ＴＡを補正するよう通知する。上り送信制御部２２３は、移動局１０からの無線信号の受信タイミングのずれを基にＴＡを算出する。新たなＴＡが算出されたら、上り送信制御部２２３は、該ＴＡを記憶部２３に記憶させる（ステップＳ２０３）。記憶部２３に記憶されたＴＡは、以降のＴＡ補正のために使用される。
【００９０】
次に、ＴＡＣ生成部２２４は、上り送信制御部２２３により算出されたＴＡに基づき、ＴＡＣを生成する。そして、送受信部２１は、ＴＡＣ生成部２２４により生成されたＴＡＣを移動局１０に送信する（ステップＳ２０４）。
【００９１】
このように、本実施例にかかるＲ１１の基地局２０は、無線パラメータの設定を実施させるための呼再設定情報にＴＡＧ設定情報を含めているので、移動局１０は、呼再設定情報に基づき、接続先の基地局２０がＲ１１であることを把握できる。
【００９２】
なお、本実施例では、ＴＡＧ設定情報を呼再設定情報により移動局１０に通知しているが、本発明は、これに限定されるものではない。例えば、ＴＡＧ設定情報をＭＡＣ（Media Access Control）レイヤの制御信号であるＭＡＣ＿ＣＥ（MAC Control Element）により移動局１０に通知しても良い。
【００９３】
図１０は、ＭＡＣ＿ＣＥフォーマット例である。
【００９４】
図１０（ａ）のフォーマット例は、２バイトで構成され、先頭の１４ビットがＴＡＧ識別子に割り当てられ、後続の２ビットがリザーブビットＲに割り当てられている。ＴＡＧ識別子は、それぞれ２ビットのフィールドで規定される。左上のフィールドから右上のフィールドに向かって順番に、ＳＣｅｌｌ＃１、＃２・・・が対応づけられ、それぞれのフィールドにＴＡＧ識別子が格納される。例えば、ＳＣｅｌｌ＃１にＴＡＧ識別子「１」を対応づける場合、左上の２ビットのフィールドに「０１」を格納する。なお、ここでは、ＴＡＧ識別子を２ビット長としているが、これに限定されるものではない。
【００９５】
図１０（ｂ）のフォーマット例は、先頭の２ビットがリザーブビットＲに割り当てられ、後続の１４ビットがＴＡＧ識別子に割り当てられている。
【００９６】
なお、移動局１０にＳＣｅｌｌ＃１が設定されていない場合、基地局２０は、そのフィールドを任意に設定すれば良い。この場合、移動局１０は、そのフィールドを無視すれば良い。
【００９７】
以上のようなＭＡＣ＿ＣＥは、ＭＡＣレイヤに於いて、ＭＡＣ＿ＰＤＵ（MAC Protocol Data Unit）として送信される。
【００９８】
図１１は、ＭＡＣ＿ＰＤＵのフォーマット例である。
【００９９】
図１１に示すように、ＭＡＣ＿ＰＤＵは、ＭＡＣヘッダと、ＭＡＣＰａｙｌｏａｄと、を含む。ＭＡＣヘッダは、ＭＡＣ＿ＣＥの種別を識別するＬＣＩＤ（Logical Channel Identifier）を格納する。ＭＡＣ＿Ｐａｙｌｏａｄは、ＬＣＩＤに対応する位置に、ＭＡＣ＿ＣＥを格納する。
【０１００】
次に、Ｒ１１の移動局１０及びＲ１１の基地局２０間の通信を実施するための手順を説明する。
【０１０１】
図１２は、Ｒ１１の移動局１０及びＲ１１の基地局２０の接続シーケンスを説明する図である。
【０１０２】
ＴＡＧの設定情報をＭＡＣ＿ＣＥにより移動局１０に通知する場合、図１２に示すように、基地局２０は、呼再設定情報の送信後に、ＭＡＣ＿ＰＤＵを送信する。但し、本発明は、これに限定されるものではない。例えば、ＲＲＣの状態がコネクティドモードに遷移させた後であれば、呼再設定情報の送信前にＭＡＣ＿ＰＤＵを送信しても良い。
【０１０３】
さらに、ＴＡＧ設定情報は、例えば基地局２０から移動局１０に送信する報知情報に含めても良い。ＴＡＧ設定情報の通知方法は、前述の方法以外にも、種々の方法を採用しうる。
【０１０４】
［実施例２］
次に、図１３を参照して実施例２を説明する。但し、実施例１と同等の構成や処理については、同様の参照番号を付して、説明を省略することとする。
【０１０５】
本実施例にかかるＲ１１の移動局１０の動作を説明する。
【０１０６】
図１３は、移動局１０の動作を示すフローチャートである。
【０１０７】
図１３に示すように、基地局２０から受信した呼再設定情報にＴＡＧ設定情報が含まれていないと判断されたら（ステップＳ１０２のＮｏ）、グループ制御部１２２は、ＴＡＣの受信後（ステップＳ３０１）、該ＴＡＣの先頭２ビットを無視し（ステップＳ３０２）、集約可能なセル群の全てにＴＡＣのＴＡを適用するよう、ＴＡＣ処理部１２４に通知する。そして、ＴＡＣ処理部１２４は、グループ制御部１２２からの通知に基づき、上り送信制御部１２３と連携して、集約可能なセル群の全てにＴＡを適用する（ステップＳ３０３）。
【０１０８】
一方、呼再設定情報にＴＡＧ設定情報が含まれていると判断されたら（ステップＳ１０２のＹｅｓ）、ＴＡＣ処理部１２４は、ＴＡＣの受信後（ステップＳ３０４）、ＴＡＣの先頭２ビットをグループ制御部１２２に通知する。グループ制御部１２２は、ＴＡＣの先頭２ビットを解析して、該２ビットにより指定されるＴＡＧに属するセル群にＴＡを設定するよう、ＴＡＣ処理部１２４に通知する。そして、ＴＡＣ処理部１２４は、グループ制御部１２２からの通知に基づき、上り送信制御部１２３と連携して、ＴＡＣの先頭２ビットにより指定されるＴＡＧに属するセル群にＴＡを適用する（ステップＳ３０５）。
【０１０９】
以上の方法により、移動局１０は、基地局２０のＲｅｌ番号に関わらず、全セルに適切なＴＡを適用することができる。
【０１１０】
本実施例によれば、基地局２０から受信した呼再設定情報にＴＡＧ設定情報が含まれていない場合、移動局１０の接続先がＲ１０の基地局であると判断できるので、ＴＡＣの先頭２ビットを無視して、集約可能なセル群の全てにＴＡを適用する。このため、ＴＡＣの先頭２ビットの解析を省くことができる。
【０１１１】
［実施例３］
次に、図１４〜図１６を参照して実施例３を説明する。但し、実施例１と同等の構成や処理については、同様の参照番号を付して、説明を省略することとする。
【０１１２】
本実施例では、Ｒ１１の移動局１０の接続先が、Ｒ１１の基地局２０からＲ１０の基地局３０にハンドオーバする場合を想定している。
【０１１３】
先ず、本発明を適用しない場合に生じる問題点を説明する。
【０１１４】
図１４は、Ｒ１１の基地局２０からＲ１０の基地局３０へのハンドオーバのシーケンスを説明する図である。
【０１１５】
ハンドオーバ元のＲ１１の基地局２０は、移動局１０から定期的に送信されてくるメジャーメントレポートを受信している。基地局２０は、メジャーメントレポートに基づき、現在の無線品質を推定し、無線品質が悪くなるとハンドオーバを実施する。
【０１１６】
ハンドオーバでは、先ずハンドオーバ元の基地局２０がＨＯ＿Ｒｅｑｕｅｓｔをハンドオーバ先の基地局３０に送信する。そして、ハンドオーバ先の基地局３０は、ハンドオーバを許可する場合、ハンドオーバ元の基地局２０にＨＯ＿ＡＣＫを送信する。
【０１１７】
ハンドオーバ元の基地局２０は、ハンドオーバ先の基地局３０からのＨＯ＿ＡＣＫを受信すると、ＨＯ＿ＡＣＫに含まれる呼再設定情報を、ＨＯ＿ＣＯＭＭＡＮＤとして移動局１０に転送する。なお、ここで転送される呼再設定情報は、ハンドオーバ先の基地局３０により発行されたものである。したがって、ハンドオーバ先の基地局がＲ１０である場合、移動局１０に転送されるＨＯ＿Ｃｏｍｍａｎｄには、ＴＡＧの設定情報が含まれない。このため、Ｒ１１の移動局１０は、ＴＡＧの再設定が実施されず、ゆえに、ハンドオーバ前に設定されたＴＡＧの設定情報が残留することとなる。
【０１１８】
このため、ハンドオーバ先のＲ１０の基地局３０が、ＨＯ完了後に移動局１０にＴＡＣを送信すると、移動局１０は、ＴＡＣの先頭２ビット（リザーブビットＲ）を有意なものと誤認してしまい、上り送信タイミングを正しく調整できない、という問題がある
そこで、実施例３では、例えばＲ１１の移動局からＲ１１以外（例えばＲ１０）の基地局へのハンドオーバが発生した場合でも、Ｒｅｌ番号を共有することなく、ＴＡＣを適切に処理することを実現する。
【０１１９】
次に、本実施例にかかる移動局１０の動作を説明する。
【０１２０】
図１５は、移動局１０の動作を示すフローチャートである。
【０１２１】
図１５に示すように、移動局１０の送受信部１１は、Ｒ１１の基地局２０から送信されるＨＯ＿ＣＯＭＭＡＮＤを受信する（ステップＳ４０１）。そして、送受信部１１は、Ｒ１１の基地局２０もしくはＲ１０の基地局３０からＴＡＣを受信したら（ステップＳ４０２）、該ＴＡＣをＴＡＣ処理部１２４に通知する。そして、ＴＡＣ処理部１２４は、該ＴＡＣの先頭２ビットをグループ制御部１２２に通知する。グループ制御部１２２は、ＴＡＣの先頭２ビットを解析して、先頭２ビットが（０、０）であるかどうか判断する（ステップＳ４０３）。
【０１２２】
ここで、ＴＡＣの先頭２ビットが（０、０）であると判断されなければ（ステップＳ４０３のＮｏ）、送受信部１１によるＴＡＣの受信を継続する（ステップＳ４０２）。
【０１２３】
一方、ＴＡＣの先頭２ビットが（０、０）であると判断されたら（ステップＳ４０３のＹｅｓ）、グループ制御部１２２は、ＴＡＧ識別子が「０」であるＴＡＧ、即ちｐＴＡＧに属するセル群にＴＡを適用するよう、ＴＡＣ処理部１２４に通知する。そして、ＴＡＣ処理部１２４は、グループ制御部１２２からの通知に基づき、上り送信制御部１２３と連携して、ｐＴＡＧに属するセル群にＴＡを適用する（ステップＳ４０４）。
【０１２４】
このため、Ｒ１１の基地局２０からＲ１０の基地局へのハンドオーバが発生したときに、Ｒ１０の基地局３０がＴＡＣの先頭２ビットを（０、０）と設定すると決めておけば（詳細は後述する）、このようなハンドオーバが発生したときに、ｐＴＡＧに属するセル群にＴＡが適用されることとなる。なお、Ｒ１０の基地局３０に接続している場合は、規約上、ＰＣｅｌｌと同じ送信タイミングを有するセル群しか使用しない、つまり、ｐＴＡＧに属するセル群しか使用しないので、実際に使用する全セルにＴＡが適用されることとなる。
【０１２５】
しかも、ハンドオーバ先がＲ１１の基地局２０であり、かつ、該基地局２０がｐＴＡＧを指定するために先頭２ビットを（０、０）に設定したとしても、基地局２０の意図どおりに、ｐＴＡＧに属するセル群にＴＡが適用されることとなる。
【０１２６】
以上の方法により、Ｒ１１の基地局２０からＲ１０の基地局へのハンドオーバが発生した場合でも、移動局１０は、全セルに適切なＴＡを適用することができる。
【０１２７】
（基地局３０）
次に、本実施例にかかるＲ１０の基地局３０の機能ブロックを説明する。
【０１２８】
図１６は、無線通信システムにおけるＲ１０の基地局３０の機能ブロックを示す図である。
【０１２９】
図１６に示すように、本実施例にかかるＲ１０の基地局３０は、送受信部３１と、制御部３２と、記憶部３３と、アンテナ３４と、を備える。送受信部３１は、アンテナ３４を介して伝送される無線信号を送受信する。
【０１３０】
制御部３２は、設定制御部３２１、上り送信制御部３２２、ＴＡＣ生成部３２３、を含む。記憶部３３は、ＴＡＣに含まれるＴＡや、移動局１０に送信する呼再設定情報を記憶する。
【０１３１】
設定制御部３２１は、呼設定の手順を実行する。さらに、設定制御部３２１は、移動局１０に無線パラメータの設定を実行させるために、呼再設定情報の送信を指示する。なお、呼再設定情報には、ＴＡＧ設定情報が含まれない。
【０１３２】
上り送信制御部３２２は、ＴＡＧごとに、ＴＡＧに属するセルによる無線通信の上り送信タイミングを制御する。例えば、上り送信制御部３２２は、各ＴＡＧに属するセルから受信する無線信号を基にＴＡを算出する。
【０１３３】
ＴＡＣ生成部３２３は、上り送信制御部３２２により算出されたＴＡを含むＴＡＣを生成する。但し、ＴＡＣの先頭２ビットは、任意に設定される。
【０１３４】
次に、本実施例にかかるＲ１０の基地局３０の動作を説明する。
【０１３５】
図１７は、Ｒ１０の基地局３０の動作を示すフローチャートである。
【０１３６】
図１７に示すように、Ｒ１０の基地局３０の設定制御部３２１は、ハンドオーバ元のＲ１１の基地局２０からＨＯ＿Ｒｅｑｕｅｓｔを受信すると（ステップＳ５０１）、該ＨＯ＿Ｒｅｑｕｅｓｔに、自身のリリースではサポートしていないパラメータ（ＴＡＧ設定情報）が含まれているかどうか判断する（ステップＳ５０２）。
【０１３７】
サポートしていないパラメータが含まれていると判断されたら（ステップＳ５０２のＹｅｓ）、設定制御部３２１は、ハンドオーバ元の基地局２０が自身のリリースとは異なると判断できるので、ＴＡＣ生成部３２３に、異種リリース間のハンドオーバが発生していることを通知する。
【０１３８】
次に、設定制御部３２１は、ＴＡの補正が必要であると判断した場合、上り送信制御部３２２に、ＴＡを補正するよう通知する。上り送信制御部３２２は、移動局１０からの無線信号の受信タイミングのずれを基にＴＡを算出する。新たなＴＡが算出されたら、上り送信制御部３２２は、該ＴＡを記憶部３３に記憶させる（ステップＳ５０３）。記憶部３３に記憶されたＴＡは、以降のＴＡ補正のために使用される。
【０１３９】
次に、ＴＡＣ生成部３２３は、上り送信制御部３２２により算出されたＴＡに基づき、ＴＡＣを生成する。このとき、ＴＡＣ生成部３２３は、ＴＡＣの先頭２ビットを（０、０）に設定する（ステップＳ５０４）。
【０１４０】
次に、送受信部３１は、ＴＡＣ生成部３２３により生成されたＴＡＣを移動局１０に送信する（ステップＳ５０５）。したがって、移動局１０は、ハンドオーバ後に、基地局３０から送信されたＴＡＣの先頭２ビットが（０、０）であると判断したら、前述のように、Ｒ１０の基地局１０へのハンドオーバが発生した、もしくは、Ｒ１１の基地局２０へのハンドオーバが発生して、該基地局２０がＴＡの適用先としてｐＴＡＧを指定している、と判断することができる。
【０１４１】
一方、サポートしていないパラメータが含まれていると判断されなければ（ステップＳ５０２のＮｏ）、設定制御部３２１は、Ｒ１０以外の基地局からＲ１０の基地局へのハンドオーバが発生していることを通知する。
【０１４２】
次に、設定制御部３２１は、ＴＡの補正が必要であると判断した場合、上り送信制御部３２２に、ＴＡを補正するよう通知する。上り送信制御部３２２は、移動局１０からの無線信号の受信タイミングのずれを基にＴＡを算出する。新たなＴＡが算出されたら、上り送信制御部３２２は、該ＴＡを記憶部３３に記憶させる（ステップＳ５０６）。記憶部３３に記憶されたＴＡは、以降のＴＡ補正のために使用される。
【０１４３】
次に、ＴＡＣ生成部３２３は、上り送信制御部３２２により算出されたＴＡに基づき、ＴＡＣを生成する。このとき、ＴＡＣ生成部３２３は、ＴＡＣの先頭２ビットを任意に設定する（ステップＳ５０７）。
【０１４４】
次に、送受信部３１は、ＴＡＣ生成部３２３により生成されたＴＡＣを移動局１０に送信する（ステップＳ５０８）。
【０１４５】
このように、本実施例にかかるＲ１０の基地局３０は、ＨＯ＿Ｒｅｑｕｅｓｔに、自身のリリースでサポートしていないパラメータが含まれている場合に、移動局１０に送信するＴＡＣの先頭２ビットを（０、０）とし、ｐＴＡＧに属するセル群にＴＡを適用する。このため、移動局１０は、ハンドオーバ先のＲｅｌ番号に関わらず、無線通信に使用する全セルに適切なＴＡを適用することができる。
【０１４６】
［実施例４］
次に、図１８〜図２１を参照して実施例４を説明する。但し、実施例１と同等の構成や処理については、同様の参照番号を付して、説明を省略することとする。
【０１４７】
実施例１では、Ｒ１１の移動局１０がＲ１１以外の基地局に接続することを想定していた。これに対し、本実施例では、Ｒ１１の移動局１０がＲ１１の基地局２０に接続することを想定する。
【０１４８】
ここで、本実施例の前提となるシステムおよび無線通信方法を説明する。
【０１４９】
図１８は、本実施例の前提となる無線通信方法および無線通信システムを模式的に示す図である。
【０１５０】
図１８では、ＰＣｅｌｌと、ＳＣｅｌｌ＃１〜ＳＣｅｌｌ＃４と、が集約されている。このうち、ＰＣｅｌｌは、送信タイミングＴＡ０であるｐＴＡＧに分類され、ＳＣｅｌｌ＃１〜２は、送信タイミングＴＡ１のｓＴＡＧ＃１に分類され、ＳＣｅｌｌ＃３〜４は、送信タイミングＴＡ２のｓＴＡＧ＃２に分類されている。
【０１５１】
なお、図中のＰＤＣＣＨ（Physical Downlink Control Channel）は、ＰＨＹ（Physical）レイヤの制御信号であって、下りデータであるＰＤＳＣＨ（Physical Downlink Shared Channel）の到着を通知するために使用される。移動局１０は、ＰＤＣＣＨを受信することで、自分宛にデータがあることを認識する。そして、移動局１０は、ＰＤＣＣＨの内容を解析することで、ＰＤＳＣＨが送信される無線リソースを特定し、ＰＤＳＣＨを受信することとなる。例えば、ＴＡＣを受信する場合、移動局１０は、ＰＤＣＣＨに基づき、ＰＤＳＣＨが送信される無線リソースを特定し、ＰＤＳＣＨの内容を解析することで、ＴＡＣを受信したことを認識する。
【０１５２】
次に、Ｒ１１の移動局１０及びＲ１１の基地局２０間の無線通信での問題点を説明する。
【０１５３】
移動局１０は、ｐＴＡＧからＴＡＣを受信した場合、該ＴＡＣを、ｐＴＡＧ、ｓＴＡＧ＃１、ｐＴＡＧ＃２の何れかに属するＣｅｌｌに適用する。同様に、ｓＴＡＧ＃１もしくはｐＴＡＧ＃２からＴＡＣを受信した場合も、該ＴＡＣを、ｐＴＡＧ、ｓＴＡＧ＃１、ｐＴＡＧ＃２の何れかに適用する。図中の曲線の矢印は、このことを示している。
【０１５４】
ところで、ＳＣｅｌｌには、ＰＤＣＣＨを受信できるａｃｔｉｖｅ状態と、ＰＤＣＣＨを受信できないｄｅａｃｔｉｖｅ状態と、が規定されている。通常、基地局２０は、ＳＣｅｌｌがａｃｔｉｖｅ状態であるときに、移動局１０にＰＤＣＣＨを送信する。しかし、ＳＣｅｌｌがｄｅａｃｔｉｖｅ状態であるにも関わらず、基地局２０がａｃｔｉｖｅ状態だと誤認して、移動局１０にＰＤＣＣＨを送信することがある。これをＳＣｅｌｌの状態不一致と呼ぶ。
【０１５５】
ＳＣｅｌｌの状態不一致が生じているときに、基地局２０がｐＴＡＧを適用先とするＴＡＣを、ｓＴＡＧに属するＣｅｌｌから送信する場合、移動局１０は、基地局２０から送信されるＰＤＣＣＨを受信できないため、ＴＡＣの受信に失敗することとなる。移動局がＴＡＣの受信に失敗すると、ｐＴＡＧの送信タイミングが調整されないので、移動局１０がｐＴＡＧに属するＣｅｌｌから送信する無線信号を、基地局２０が受信できなくなる、という問題がある。最悪の場合、ＲＬＦ（Radio Link Failure）が生じ、移動局１０はアイドルモードに状態遷移し、通信ができなくなることもある。
【０１５６】
また、ｐＴＡＧに含まれるＰＣｅｌｌは、各種の重要な制御に使用されるセルである。例えば、ＰＵＣＣＨの送信や、ＰＤＳＣＨに対する確認応答であるＡＣＫ／ＮＡＣＫの送信、及び無線品質を報告するためのＣＱＩ（Channel Quality Information）の送信が実施されるセルである。また、ＲＲＣコネクションの設定制御や再設定制御、そのためのランダムアクセスでも、ＰＣｅｌｌが使用される。このため、ｓＴＡＧから送信されたＴＡＣのＴＡを、ｐＴＡＧに適用すると、ＰＣｅｌｌの処理負荷が更に増加し、重要な制御信号の送信に影響が生じる、という問題点がある。
【０１５７】
そこで、本実施例では、基地局２０がｓＴＡＧからＴＡＣを送信する場合、図１９に示すように、該ＴＡＣをｐＴＡＧに適用させないこととする。即ち、ｐＴＡＧにＴＡＣを適用する場合、ｐＴＡＧから該ＴＡＣを送信することとする。したがって、点線矢印で示すようなＴＡＣの適用は、実施しないこととする。
【０１５８】
（移動局１０）
次に、本実施例の移動局１０の動作を説明する。
【０１５９】
図２０は、移動局１０の動作を示すフローチャートである。
【０１６０】
送受信部１１は、基地局２０からのＴＡＣを受信したら（ステップＳ６０１）、ＴＡＣ処理部１２４に通知する。そして、ＴＡＣ処理部１２４は、該ＴＡＣの先頭２ビットをグループ制御部１２２に通知する。
【０１６１】
次に、グループ制御部１２２は、ＴＡＣをｓＴＡＧに属するセルから受信したのかどうか判断する（ステップＳ６０２）。例えば、ＰＤＣＣＨの受信セルに基づき、ＴＡＣの受信セルを判別すれば良い。
【０１６２】
ここで、ｓＴＡＧに属するセルから受信していると判断されたら（ステップＳ６０２のＹｅｓ）、グループ制御部１２２は、さらに、ＴＡＣの先頭２ビットが（０、０）であるかどうか判断する（ステップＳ６０３）。
【０１６３】
先頭２ビットが（０、０）であると判断されたら（ステップＳ６０３のＹｅｓ）、即ちＴＡがｐＴＡＧに適用されると判断されたら、グループ制御部１２２は、該ＴＡＣのＴＡを、どのセルにも適用しないよう、ＴＡＣ処理部１２４に通知する。ＴＡＣ処理部１２４は、グループ制御部１２２からの通知に基づき、ＴＡＣの適用を中止する（ステップＳ６０４）。このとき、移動局１０は、基地局２０にＮＡＣＫを送信しても良い。ＮＡＣＫを送信すれば、基地局２０は、該ＴＡＣが未適用であることを把握でき、ＴＡＣの再送を試みることができる。但し、ＮＡＣＫを送信しなくても、基地局２０は、ＴＡＣＫ送信後、所定時間が経過すると、ＮＡＣＫを受信したものと判断する。
【０１６４】
一方、ＴＡＣの先頭２ビットが（０、０）でなければ（ステップＳ６０３のＮｏ）、即ちＴＡがｓＴＡＧの何れかに適用されると判断されたら、グループ制御部１２２は、該ＴＡＣのＴＡを、ＴＡＣの先頭２ビットにより指定されるＴＡＧに属するセル群に適用するよう、ＴＡＣ処理部１２２に通知する。そして、ＴＡＣ処理部１２２は、グループ制御部１２２からの通知に基づき、上り送信制御部１２３と連携して、ＴＡＣの先頭２ビットにより指定されるＴＡＧに属するセル群にＴＡを適用する（ステップＳ６０５）。なお、ここでは、前述のように、先頭２ビットが（０、０）でないため、ｓＴＡＧの何れかに属するセル群にＴＡを適用することとなる。
【０１６５】
また、ｓＴＡＧに属するセルからＴＡＣを受信していると判断されなければ（ステップＳ６０２のＮｏ）、即ちｐＴＡＧから受信していると判断されたら、ＴＡＣの先頭２ビットにより指定されるＴＡＧに属するセル群にＴＡを適用するよう、ＴＡＣ処理部１２２に通知する。そして、ＴＡＣ処理部１２２は、グループ制御部１２２からの通知に基づき、上り送信制御部１２３と連携して、ＴＡＣの先頭２ビットにより指定されるＴＡＧに属するセル群にＴＡを適用する（ステップＳ６０５）。なお、ここでは、ｐＴＡＧからＴＡＣを受信しているため、ｐＴＡＧに属するセル群、即ちＰＣＥＬＬにＴＡを適用することとなる。
【０１６６】
（基地局２０）
次に、本実施例の基地局２０の動作を説明する。
【０１６７】
図２１は、基地局２０の動作を示すフローチャートである。
【０１６８】
設定制御部２２１は、ＴＡの補正が必要であると判断した場合、上り送信制御部２２３に、ＴＡを補正するよう通知する。上り送信制御部２２３は、移動局１０からの無線信号の受信タイミングのずれを基にＴＡを算出する。新たなＴＡが算出されたら、上り送信制御部２２３は、該ＴＡを、適用先のＴＡＧ識別子と紐づけて記憶部２３に記憶する。記憶部２２３に記憶されたＴＡは、以降のＴＡ補正のために使用される。
【０１６９】
次に、ＴＡＣ生成部２２４は、上り送信制御部２２３により算出されたＴＡに基づき、ＴＡＣを生成する。このとき、ＴＡＣ生成部２２４は、記憶部２３に記憶されているＴＡの適用先の識別子に基づき、ＴＡＣを適用したいセルが、ｓＴＡＧに属するかどうか判断する（ステップＳ７０１）。
【０１７０】
ここで、ＴＡＣを適用したいセルがｓＴＡＧに属すると判断されたら（ステップＳ７０１のＹｅｓ）、ＴＡＣ生成部２２４は、ＴＡＣの先頭２ビットに、ＴＡを適用したいセルが属するＴＡＧの識別子を設定する（ステップＳ７０２）。
【０１７１】
次に、上り送信制御部２２３は、ＴＡＣの送信に利用するセルを任意に決定する。そして、送受信部２１は、上り送信制御部２２３により決定されたセルを利用して、ＴＡＣ生成部２２４により生成されたＴＡＣを移動局１０に送信する（ステップＳ７０３）。
【０１７２】
一方、ＴＡＣを適用したいセルがｓＴＡＧに属すると判断されなければ（ステップＳ７０１のＮｏ）、即ちＴＡＣを適用したいセルがｐＴＡＧに属すると判断されたら、ＴＡＣ生成部２２４は、ＴＡＣの先頭２ビットに、ｐＴＡＧの識別子「０」に対応する（０、０）を設定する（ステップＳ７０４）。
【０１７３】
次に、上り送信制御部２２３は、ＴＡＣの送信に利用するセルを、ｐＣｅｌｌに設定する。そして、送受信部２１は、上り送信制御部２２３により決定されたセル、即ちｐＣｅｌｌを利用して、ＴＡＣ生成部２２４により生成されたＴＡＣを移動局１０に送信する。
【０１７４】
以上の方法により、ｓＴＡＧから送信されたＴＡＣのＴＡが、ｐＴＡＧに適用されることがなくなるので、移動局１０の処理負荷を軽減することができる。
【０１７５】
［実施例５］
次に、図２２〜図２５を参照して実施例５を説明する。但し、実施例４と同等の構成や処理については、同様の参照番号を付して、説明を省略することとする。
【０１７６】
ここで、本実施例の前提となるシステムおよび無線通信方法を説明する。
【０１７７】
図２２は、本実施例の前提となる無線通信方法および無線通信システムを模式的に示す図である。
【０１７８】
図２２に示すように、ＴＡＣがＣＩＦ（Carrier Indicator Field）によりクロスキャリアスケジューリングされている点が、図１８と相違する。
【０１７９】
ＰＣｅｌｌにより送信されるＰＤＣＣＨには、ＣＩＦを含めることができる。ＣＩＦは、どのセルからＰＤＳＣＨを受信するかを通知するものである。ＣＩＦを含むＰＤＣＣＨによって、どのセルからＰＤＳＣＨであるＴＡＣを送信するかを通知することができる。例えば、ＴＡＣが、ｓＴＡＧ＃１に属するセルから送信される場合、ＣＩＦは、該セルの識別子を指定することとなる。
【０１８０】
このような状況において、ＴＡＣの先頭２ビットが、ＴＡＣを受信したｓＴＡＧ以外のｓＴＡＧを示している場合、ＴＡを適用するまでに、セルを２回またがる処理が必要となる。このような処理は、移動局の処理負荷を増加させる、という問題がある。
【０１８１】
なお、図２２は、ＰＣｅｌｌからＰＤＣＣＨを受信して、ｓＴＡＧ＃１に属するｓＣｅｌｌ（＃１もしくは＃２）からＴＡＣを受信して、ｓＴＡＧ＃２に属するｓＣｅｌｌ＃３及び＃４）にＴＡを適用する場合を示しているが、他にも種々の場合が想定される。例えば、ｓＴＡＧ＃１に属するｓＣｅｌｌ（＃１もしくは＃２）からＰＤＣＣＨを受信して、ｓＴＡＧ＃２に属するｓＣｅｌｌ（＃３もしくは＃４）からＴＡＣを受信して、ｓＴＡＧ＃２に属するｓＣｅｌｌ＃３及び＃４にＴＡを適用する場合などである。
【０１８２】
そこで、本実施例では、ＰＤＣＣＨの受信からＴＡの適用までに、セルを２回以上またがらないように制限を加える。
【０１８３】
図２３は、実施例２の無線通信方法の一例を示す図である。
【０１８４】
図２３に示すように、本実施例では、ＰＣｅｌｌから送信されるＰＤＣＣＨのＣＩＦが、ＴＡＣの送信セルとして、ｓＴＡＧ＃１に属するｓＣｅｌｌ（＃１もしくは＃２）を指定している場合、ＴＡＣの先頭２ビットを、ｓＴＡＧ＃１のＴＡＧ識別子に設定する。即ち、ＴＡＣの送信セルが属するｓＴＡＧ及びＴＡの適用セルが属するｓＴＡＧが共通となるように、ＴＡＣの先頭２ビットを設定する。
【０１８５】
（移動局１０）
次に、本実施例にかかる移動局１０の動作を説明する。
【０１８６】
図２４は、移動局１０の動作を示すフローチャートである。
【０１８７】
送受信部１１は、基地局２０からのＴＡＣを受信したら（ステップ８０１）、該ＴＡＣをＴＡＣ処理部１２４に通知する。そして、ＴＡＣ処理部１２４は、該ＴＡＣの先頭２ビットをグループ制御部１２２に通知する。
【０１８８】
次に、グループ制御部１２２は、ＴＡＣの先頭２ビットを解析して、ＴＡＣを適用したいＴＡＧの識別子を特定するとともに、該識別子が、事前に受信したＰＤＣＣＨのＣＩＦにより指定されるセルが属するＴＡＧの識別子と同じであるか判断する（ステップＳ８０２）。
【０１８９】
ここで、ＣＩＦにより指定されるセルが属するＴＡＧの識別子と同じであると判断されたら（ステップＳ８０２のＹｅｓ）、グループ制御部１２２は、該ＴＡＣの先頭２ビットにより指定されるＴＡＧに属するセル群にＴＡＣを適用するよう、ＴＡＣ処理部１２４に通知する。ＴＡＣ処理部１２４は、グループ制御部１２２からの通知に基づき、上り送信制御部１２３と連携して、ＴＡＣの先頭２ビットにより指定されるＴＡＧに属するセル群にＴＡを適用する（ステップＳ８０３）。
【０１９０】
一方、ＣＩＦにより指定されるセルが属するＴＡＧの識別子と同じであると判断されなければ（ステップＳ８０２のＮｏ）、グループ制御部１２２は、該ＴＡＣを、どのセルにも適用しないよう、ＴＡＣ処理部１２４に通知する。ＴＡＣ処理部１２４は、グループ制御部１２２からの通知に基づき、ＴＡＣの適用を中止する（ステップＳ８０４）。このとき、移動局１０は、基地局２０にＮＡＣＫを送信しても良い。ＮＡＣＫを送信すれば、基地局２０は、該ＴＡＣが未適用であることを把握でき、ＴＡＣの再送を試みることができる。但し、ＮＡＣＫを送信しなくても、基地局２０は、ＴＡＣ送信後、所定時間が経過した時点で、ＮＡＣＫを受信したものと判断する。
【０１９１】
次に、ＴＡＣ処理部１２４は、記憶部１３に記憶しているＴＡを補正するよう、上り送信制御部１２３に通知して、新たなＴＡとして記憶部１３に記憶させる。
【０１９２】
（基地局２０）
次に、本実施例にかかる基地局２０の動作を説明する。
【０１９３】
図２５は、基地局２０の動作を示すフローチャートである。
【０１９４】
設定制御部２２１は、ＴＡの補正が必要であると判断した場合、上り送信制御部２２３に、ＴＡを補正するよう通知する。上り送信制御部２２３は、移動局１０からの無線信号の受信タイミングを基にＴＡを算出する。新たなＴＡが算出されたら、上り送信制御部２２３は、該ＴＡを、適用先のＴＡＧ識別子と紐づけて記憶部２３に記憶する。記憶部２３に記憶されたＴＡは、以降のＴＡ補正のために使用される。
【０１９５】
次に、ＴＡＣ生成部２２４は、上り送信制御部２２３により算出されたＴＡに基づき、ＴＡＣを生成する。このとき、ＴＡＣ生成部２２４は、基地局２０からのＴＡＣの送信にＣＩＦが使用されているかどうか判断する（ステップＳ９０１）。即ち、クロスキャリアスケジューリングがなされるかどうか判断する。
【０１９６】
ここで、ＴＡＣがＣＩＦにより送信されると判断されたら（ステップＳ９０１のＹｅｓ）、ＴＡＣ生成部２２４は、ＴＡＣの先頭２ビットを、ＣＩＦにより指定されるセルが属するＴＡＧの識別子と共通になるように設定する（ステップＳ９０２）。そして、送受信部２１は、ＴＡＣ生成部２２４により生成されたＴＡＣを移動局１０に送信する（ステップＳ９０３）。
【０１９７】
一方、ＴＡＣがＣＩＦにより送信されると判断されなければ（ステップＳ９０１のＮｏ）、送受信部２１は、ＴＡＣ生成部２２４により生成されたＴＡＣを移動局１０に送信する（ステップＳ９０３）。
【０１９８】
以上の方法により、ＴＡＣがクロススケジューリングされている場合でも、ＣＩＦにより指定されるセルの属するＴＡＧだけに、ＴＡＣが適用されるので、移動局１０の処理負荷を低減することができる。
［実施例６］
次に、図２６〜図２８を参照して実施例６を説明する。但し、前述の各実施例と同等の構成や処理については、同様の参照番号を付して、説明を省略することとする。
【０１９９】
本実施例では、Ｒ１１の移動局１０とＲ１１の基地局２０間で、上り同期状態に不一致が生じる場合を想定する。
【０２００】
ここで、本実施例の前提となるシステムおよび無線通信方法を説明する。
【０２０１】
先ず、上り同期状態の判断方法を説明する。
【０２０２】
移動局１０は、基地局２０からＴＡＣを受信すると、該ＴＡＣの適用対象であるＴＡＧについて、ＴＡＴ（TA timer）を起動あるいは再起動する。ＴＡＴは、事前に決められた期間だけ起動するタイマである。移動局１０は、ＴＡＴが起動していれば、該ＴＡＴに対応するＴＡＧに属する全セルが上り同期状態であると判断する。言い換えれば、移動局１０は、ＴＡＴの起動期間内であれば、上り送信タイミングのずれが許容範囲内であり、使用中のＴＡを補正する必要がないと判断する。逆に、ＴＡＴが停止すると、即ちＴＡＴの起動期間が満了すると、該ＴＡＴに対応するＴＡＧに属する全てのセルが上り非同期状態であると判断する。
【０２０３】
但し、ｐＴＡＧに属するＴＡＴが満了した場合、移動局１０は、ｓＴＡＧに属するＴＡＴも満了したものとし、ｓＴＡＧに属する全てのセルを上り非同期状態とする。この理由は、ｓＴＡＧに属するセルだけが上り同期状態であっても、ｐＴＡＧに属するＰＣｅｌｌが上り非同期状態となると、ＰＵＣＣＨでＡＣＫやＮＡＣＫを返信できなくなり、正常な通信を継続できなくなるからである。このため、ｐＴＡＧに属するＴＡＴの起動期間が満了すると、移動局１０側では、集約されている全てのセルを非同期状態とする。
【０２０４】
一方、基地局２０側でも、移動局１０の上り同期状態を把握する必要がある。このため、移動局１０がＴＡＣを受信して、該ＴＡＣの受信を確認するためのＡＣＫを基地局２０に送信した場合、基地局２０は、移動局１０からの該ＡＣＫの受信を契機として、該ＴＡＣを適用するＴＡＧについて、ＴＡＴを起動あるいは再起動する。このように、移動局１０及び基地局２０は、ＴＡＣを適用するＴＡＧについて、それぞれＴＡＴを起動あるいは再起動することとなる。
【０２０５】
図２６は、移動局１０及び基地局２０間で同期状態に不一致が生じていることを説明する図である。図１８との異なる点は、移動局１０及び基地局２０間で、上り同期状態について不一致が生じている点である。
【０２０６】
同期状態の不一致は、例えば、次のようなケースで生じる。基地局２０がｐＴＡＧの上り同期を維持するためにＴＡＣを送信したところ、移動局１０が受信に失敗してしまい、ＮＡＣＫを返信するが、基地局２０でＮＡＣＫがＡＣＫと判定されたケース、即ちＮＡＣＫ／ＡＣＫエラーが生じたケースである。
【０２０７】
このとき、移動局１０は、基地局２０からのＴＡＣの再送を待つが、基地局２０は、ＴＡＣの送信に成功したと判断するため、ＴＡＣの再送を実施しない。このため、時間経過に伴い、移動局１０に於いて、ｐＴＡＧのＴＡＴの起動期間が満了すると、ｐＴＡＧに属するｐＣｅｌｌは、上り非同期状態となる。さらに、移動局１０は、前述のように、ｐＴＡＧのＴＡＴが満了したことに伴い、ｓＴＡＧのＴＡＴも満了したとみなし、ｓＴＡＧに属するセルも上り非同期状態となる。
【０２０８】
ところが、基地局２０は、移動局１０からのＮＡＣＫをＡＣＫとして受信しているため、ｐＴＡＧを適用対象とするＴＡＣが移動局１０に正しく受信されたと認識して、ｐＴＡＧについて、ＴＡＴを再起動する。したがって、基地局２０では、ｐＴＡＧに属するｐＣｅｌｌが上り同期状態と認識される。このとき、ｓＴＡＧのＴＡＴが起動中であれば、ｓＴＡＧに属するセルも上り同期状態と認識される。こうして、上り同期状態の不一致が生じる。
【０２０９】
図２７は、移動局１０及び基地局２０間で同期状態に不一致が生じていることを説明する別の図である。図２６と異なる点は、図２６に示す状態から時間が経過して、基地局２０が認識しているｓＴＡＧの同期状態も上り非同期状態となり、結果として、基地局２０及び移動局１０間でｓＴＡＧの上り同期状態の認識が一致している点である。
【０２１０】
次に、本実施例の前提となる技術の問題点を説明する。
【０２１１】
例えば、図２６に於いて、基地局２０がｓＴＡＧを適用対象とするＴＡＣを送信した場合、移動局１０は、基地局２０から受信したＴＡＣのＴＡ（６ビット）を適用対象のｓＴＡＧに適用する。このため、ｓＴＡＧに属するセルは、上り同期状態となる。しかし、ＰＣｅｌｌは、上り非同期状態であるため、前記したように、正常な通信を行えない状態が発生する。
【０２１２】
また、図２７に於いて、基地局２０が、上り同期を確保したいＳＣｅｌｌに対し、ランダムアクセスを実施する場合、ランダムアクセスのトリガとなる制御信号、即ちＭｓｇ０（PDCCH order）を送信する。移動局１０は、基地局２０からのＭｓｇ０に基づき、ランダムアクセスを実施し、ランダムアクセスレスポンスとして、ＴＡの絶対値（１１ビット）を受信する。そして、移動局１０は、ＴＡをｓＴＡＧに適用する。このため、ｓＴＡＧに属するセルは、上り同期状態となる。しかし、ＰＣｅｌｌは上り非同期状態となっており、前記したように、正常な通信を行えない状態が発生する。
【０２１３】
そこで、本実施例では、ｓＴＡＧにＴＡＣを適用する条件を、ｐＴＡＧの上り同期状態が維持されていることとする。
【０２１４】
次に、本実施例にかかる移動局１０の動作を説明する。
【０２１５】
図２８は、移動局１０の動作を示すフローチャートである。
【０２１６】
送受信部１１は、基地局２０からのＴＡＣを受信したら（ステップＳ１００１）、該ＴＡＣをＴＡＣ処理部１２４に通知する。そして、ＴＡＣ処理部１２４は、該ＴＡＣの先頭２ビットをグループ制御部１２２に通知する。グループ制御部１２２は、先頭２ビットを分析して、ＴＡＣの適用先がｓＴＡＧかどうかを判断する（ステップＳ１００２）。
【０２１７】
ここで、ＴＡＣの適用先がｓＴＡＧであると判断されたら（ステップＳ１００２のＹｅｓ）、グループ制御部１２２は、さらに、ｐＴＡＧの上り同期状態が非同期状態であるかどうか判断する（ステップＳ１００３）。なお、ｐＴＡＧの上り同期状態は、例えば記憶部１３に記憶させておけば良い。
【０２１８】
ｐＴＡＧの上り同期状態が非同期状態であると判断されたら（ステップＳ１００３のＹｅｓ）、グループ制御部１２２は、該ＴＡＣのＴＡを、どのセルにも適用しないよう、ＴＡＣ処理部１２４に通知する。ＴＡＣ処理部１２４は、グループ制御部１２２からの通知に基づき、ＴＡの適用を中止する（ステップＳ１００４）。このとき、ｐＴＡＧが上り非同期状態であるので、移動局１０は、基地局２０にＮＡＣＫ／ＡＣＫを送信することができないが、基地局２０は、ＴＡＣ送信後、所定時間が経過した時点でＮＡＣＫ／ＡＣＫを受信しない場合に、ＮＡＣＫを受信したものと判断するので、問題は生じない。
【０２１９】
一方、ｐＴＡＧの上り同期状態が非同期状態であると判断されなければ（ステップＳ１００３のＮｏ）、即ちｐＴＡＧの上り同期状態が同期状態であると判断されたら、グループ制御部１２２は、該ＴＡＣのＴＡを、ＴＡＣの先頭２ビットにより指定されるＴＡＧ、即ちｓＴＡＧに属するセル群に適用するよう、ＴＡＣ処理部１２２に通知する。そして、ＴＡＣ処理部１２２は、グループ制御部１２２からの通知に基づき、上り送信制御部１２３と連携して、ＴＡＣの先頭２ビットにより指定されるＴＡＧ、即ちｓＴＡＧに属するセル群にＴＡを適用する（ステップＳ１００５）。
【０２２０】
また、ＴＡＣの適用先がｓＴＡＧであると判断されなければ（ステップＳ１００２のＮｏ）、即ちＴＡＣの適用先がｐＴＡＧであると判断されたら、グループ制御部１２２は、該ＴＡＣのＴＡを、ＴＡＣの先頭２ビットにより指定されるＴＡＧ、即ちｐＴＡＧに属するセル群に適用するよう、ＴＡＣ処理部１２２に通知する。そして、ＴＡＣ処理部１２２は、グループ制御部１２２からの通知に基づき、上り送信制御部１２３と連携して、ＴＡＣの先頭２ビットにより指定されるＴＡＧ、即ちｐＴＡＧに属するセル群にＴＡを適用する（ステップＳ１００５）。
【０２２１】
なお、本実施例では、ＴＡＣの適用先がｓＴＡＧであり、かつ、ｐＴＡＧの上り同期状態が非同期状態である場合に、ＴＡの適用を禁止することとしているが、ＴＡの適用を禁止する手法としては、以下のような方法がある。
【０２２２】
例えば、物理レイヤにおいては、ＰＤＳＣＨとして送信されたＴＡＣの受信が成功したものと判定するが、ＭＡＣレイヤにおいては、ＰＤＳＣＨとして送信されたＴＡＣを無視する、という方法がある。また、そもそも物理レイヤにおいて、ＰＤＳＣＨとして送信されたＴＡＣの受信が失敗したものと判定し、ＭＡＣレイヤにＴＡＣを渡さない、という方法がある。さらに、ＰＤＳＣＨそのものを受信しない、という方法もある。なお、図２７に対する解決案としては、移動局１０がＭｓｇ０の受信に呼応して、ランダムアクセス手順を実施しない、即ちランダムアクセス識別子を送信しない方法を採用しても良い。
【０２２３】
本実施形態によれば、ｐＴＡＧの上りが非同期であるときに、ｓＴＡＧの上りが同期状態にならないので、正常な通信を行えない事態を回避することができる。
【０２２４】
なお、ＴＡＣのフォーマットは、前述したものに限られるものではなく、例えば、図２９に示すようなフォーマットを用いても良い。このフォーマットのＴＡＣは、ＭＡＣ（Media Access Control）レイヤの制御信号であるＭＡＣ＿ＣＥ（MAC Control Element）で規定される。ＬＣＩＤとしては、「１１１０１」以外の数字を割り当てる。
【０２２５】
図２９（ａ）のフォーマットは、先頭の１バイトで、ＰＣｅｌｌの識別子Ｃ０と、ＳＣｅｌｌの識別子Ｃ１〜Ｃ７と、規定する。Ｒは、リザーブビットである。
【０２２６】
例えば、ＣｅｌｌとＴＡＧに、図１８に示すような関係がある場合、ｐＴＡＧにＴＡＣを適用するためには、ｐＴＡＧに対応するＣ０のフィールドを１とする。ｓＴＡＧ＃１にＴＡＣを適用するためには、Ｃ１、Ｃ２のフィールドを１とする。ｓＴＡＧ＃２にＴＡＣを適用するためには、Ｃ３、Ｃ４のフィールドを１とする。
【０２２７】
図２４（ｂ）のフォーマットは、ＴＡＧ識別子を３ビットで表現する。Ｒは、リザーブビットである。例えば、ＣｅｌｌとＴＡＧに、図１８に示すような関係がある場合、ｐＴＡＧにＴＡＣを適用するためには、ＴＡＧ識別子の３ビットに（０００）を設定する。ｓＴＡＧ＃１にＴＡＣを適用するためには、ＴＡＧ識別子の３ビットに（００１）を設定する。ｓＴＡＧ＃２にＴＡＣを適用するためには、ＴＡＧ識別子の３ビットに（０１０）を設定する。
【０２２８】
図２４（ｃ）のフォーマットは、ＴＡＧ識別子の配置が、図２４（ｂ）とは異なる。このように、ＴＡＧ識別子の配置は、特に限定されるものではない。
【０２２９】
（ハードウェア構成）
次に、以上の各実施例にかかる移動局１０及び基地局２０、３０のハードウェア構成を説明する。
【０２３０】
図３０は、移動局１０のハードウェア構成図である。
【０２３１】
図３０に示すように、移動局１０は、プロセッサ４１、ロム４２、メインメモリ４３、ストレージ４４、無線通信部４５、表示部４６、入力部４７、コミュニケーションインターフェイス４８、及びアンテナ１４を有する。
【０２３２】
ロム４２、メインメモリ４３、ストレージ４４、無線通信部４５、表示部４６、入力部４７、コミュニケーションインターフェイス４８は、それぞれ、バスを介してプロセッサ４１に接続されている。
【０２３３】
ストレージ４４は、各実施例に記載の処理を実現するための通信プログラムを記憶している。プロセッサ４１は、ストレージ４４に記憶された通信プログラムを読み出して、メインメモリ４３にロードするとともに、該メインメモリ４３にロードされた通信プログラムを実行することで、各実施例に記載の移動局１０の処理を実現する。ストレージ４４もしくはメインメモリ４３の何れかは、各実施例に記載の記憶部１３として利用される。
【０２３４】
表示部４６は、例えば液晶画面などである。入力部４７は、例えばキーパッドなどである。移動局１０の操作者は、表示部４６および入力部４７を用いて、電話番号などの入力を行う。
【０２３５】
コミュニケーションインターフェイス４８は、例えばスピーカ及びマイクなどである。移動局１０の操作者は、コミュニケーションインターフェイス４８を用いて、音声の送受信などの操作を行う。アンテナ１４は、無線通信部４５に接続されている。
【０２３６】
図３１は、基地局２０、３０のハードウェア構成図である。
【０２３７】
図３１に示すように、基地局２０、３０は、同等の構成であって、プロセッサ５１、ロム５２、メインメモリ５３、ストレージ５４、無線通信部５５、表示部５６、入力部５７、コミュニケーションインターフェイス５８、アンテナ２４を有する。
【０２３８】
ロム５２、メインメモリ５３、ストレージ５４、無線通信部５５、表示部５６、入力部５７、及びコミュニケーションインターフェイス５８は、それぞれバスを介してプロセッサ５１に接続されている。
【０２３９】
表示部５６は、例えばモニタなどである。入力部５７は、例えばキーボードなどである。基地局２０の操作者は、表示部５６及び入力部５７を用いて、基地局２０の設定プログラムなどの入力を行う。
【０２４０】
コミュニケーションインターフェイス５８は、例えば上位局との通信を行うためのインターフェイスである。具体的には、ネットワークボードやＡＤＣ（Analog  Digital  Convertor）などである。アンテナ２４は、無線通信部５５に接続されている。
【０２４１】
ストレージ５４は、例えばハードディスクなどの記憶装置である。ストレージ５４は、各実施例に記載の処理を実現するための通信プログラムを記憶している。プロセッサ５１は、ストレージ５４に記憶された通信プログラムを読み出して、メインメモリ５３にロードするとともに、該メインメモリ５３にロードされた通信プログラムを実行することで、各実施例に記載の基地局２０の処理を実現する。ストレージ５４もしくはメインメモリ５３の何れかは、各実施例に記載の記憶部２３として利用される。
【符号の説明】
【０２４２】
１０：移動局
１１：送受信部
１２：制御部
２０：基地局
２１：送受信部
１２１：設定制御部
１２２：グループ制御部
１２３：上り送信制御部
１２４：ＴＡＣ処理部
２２１：設定制御部
２２２：グループ制御部
２２３： 上り送信制御部
２２４：ＴＡＣ生成部
【図１】
0005935874.tif 000002
【図２】
0005935874.tif 000003
【図３】
0005935874.tif 000004
【図４】
0005935874.tif 000005
【図５】
0005935874.tif 000006
【図６】
0005935874.tif 000007
【図７】
0005935874.tif 000008
【図８】
0005935874.tif 000009
【図９】
0005935874.tif 000010
【図１０】
0005935874.tif 000011
【図１１】
0005935874.tif 000012
【図１２】
0005935874.tif 000013
【図１３】
0005935874.tif 000014
【図１４】
0005935874.tif 000015
【図１５】
0005935874.tif 000016
【図１６】
0005935874.tif 000017
【図１７】
0005935874.tif 000018
【図１８】
0005935874.tif 000019
【図１９】
0005935874.tif 000020
【図２０】
0005935874.tif 000021
【図２１】
0005935874.tif 000022
【図２２】
0005935874.tif 000023
【図２３】
0005935874.tif 000024
【図２４】
0005935874.tif 000025
【図２５】
0005935874.tif 000026
【図２６】
0005935874.tif 000027
【図２７】
0005935874.tif 000028
【図２８】
0005935874.tif 000029
【図２９】
0005935874.tif 000030
【図３０】
0005935874.tif 000031
【図３１】
0005935874.tif 000032